(57)【要約】  パッケージは、ベース、背及びカバーを具備する保護容器に取り付けられた、トレイのヒンジエッジに固定された可撓性ヒンジ部材を具備する、メディアディスクを保持するためのヒンジで取り付けられた複数のトレイから成る積み重ねであるスタックを含む。スタックの底部トレイはヒンジエッジと反対側のトレイエッジの回りに回動運動するためのベースに取り付けられ、これにより、トレイがスタックから第２スタック上に可撓性ヒンジ部材の回りで回転する際に、底部トレイのヒンジエッジは、第２スタックが初期のスタックより少なくとも１つ以上のトレイを含むベースから離れて回動する。回動取付は、ベースに取り付けられたスロット受容手段に係合する底部トレイにスロットを形成することによって達成される。
2008509866.tif 000002
【特許請求の範囲】
【請求項１】
メディアディスクを保持するためのパッケージであって、
少なくとも頂部トレイ及び底部トレイを含む、複数のディスク保持トレイから成るスタックであって、前記スタックの各トレイが自身上にメディアディスクを受容及び保持するための手段を具備し、該手段は前記スタックの各トレイはヒンジ留めエッジ及び反対側エッジを具備しており、前記トレイのヒンジエッジが互いに対して整合され、前記ヒンジエッジに固定され、前記ヒンジエッジで互いに対してヒンジ留めする、可撓性ヒンジ部材を含む、前記スタックと、
ベース、背部、及び、前記ヒンジエッジが前記背部及び該背部から離れた前記反対側エッジに隣接した状態で、前記ベース内でディスク保持トレイを有する前記スタックを受容するカバーを備え、メディアディスクが前記ディスク保持トレイ上に挿入し得るものであり、及び複数の該ディスク保持トレイから取り外し得、前記トレイが前記可撓性ヒンジ部材の回りで回動し得る開放位置と、複数のディスク保持トレイから成る前記スタックを前記ベース内に保持するために前記背部の回りで回動されて複数のトレイから成る第２スタックを構成する開放位置と、前記カバーが前記背部の回りで回動して前記ディスク保持トレイを前記ベース内に包囲する閉鎖位置と、を有する、エンクロージャーと、を備え、
複数の前記ディスク保持トレイから成るスタック内の前記底部トレイは前記反対側エッジの回りで回動運動をするように前記ベース内に取り付けられ、
これにより、前記エンクロージャーがその開放位置にある状態で、トレイが前記スタックから第２スタック上に前記可撓性ヒンジ部材の回りで回動するにつれて、前記第２スタックが初期の前記スタックよりも少なくとも１つ多いトレイを含む場合に、前記底部トレイの前記ヒンジエッジは前記ベースから離れるように回動するパッケージ。
【請求項２】
前記底トレイ上の第１手段及び前記ベース上の第２手段を含み、前記第１及び第２手段は前記底トレイを前記ベース内で回動運動するように取り付けるために相互に係合する、請求項１に記載のパッケージ。
【請求項３】
前記第１手段は前記底トレイの反対側エッジ上にある、請求項２に記載のパッケージ。
【請求項４】
前記第１手段は前記底トレイの反対側エッジの一部である、請求項２に記載のパッケージ。
【請求項５】
前記ベースは床パネルを含み、前記第２手段は前記床パネルに取り付けられる、請求項２に記載のパッケージ。
【請求項６】
前記床パネルは前記トレイ・スタックの反対側エッジに隣接する直立壁を含む、請求項５に記載のパッケージ。
【請求項７】
前記第２手段は前記直立壁に隣接する前記床パネルに取り付けられる、請求項６に記載のパッケージ。
【請求項８】
前記第１手段は前記底トレイの反対側エッジ上にあり、かつ前記反対側エッジに沿って所定の間隔を置いて配置された前記第１手段の少なくとも２つと、前記床パネルに沿って所定の間隔を置いて配置された対応する数の第２手段と、を含む、請求項５に記載のパッケージ。
【請求項９】
前記第１手段は前記底トレイの反対側エッジの一部である、請求項５に記載のパッケージ。
【請求項１０】
前記第１手段は前記底部トレイの前記反対側エッジに形成され、かつ該反対側エッジに沿って延在するスロットであり、
前記トレイの一部は前記スロットより下に留まり、及び
前記第２手段は前記床パネルに取り付けられ、かつ該床パネルから上向きに延在する手段を備え、
前記上向きに延在する手段は内部に上向きに開放する回動穴を具備し、
前記穴は前記底部トレイの前記反対側エッジに実質的に平行な方向に延在し、かつ前記スロットより下に留まる前記トレイの一部を受容且つ回動可能に保持するように寸法づけられる、請求項９に記載のパッケージ。
【請求項１１】
前記トレイは平らな上部面と、該平らな上部面の前記反対側エッジに少なくとも沿って延在する懸下するフランジ部を備え、
前記第１手段は前記平らな上部面と前記反対側エッジに沿った前記懸下するフランジ部との交差部に沿って形成されたスロットを備え、
前記スロットの一部は前記平らな上部面上に延在し、前記スロットの別の一部は前記懸下するフランジ部上に延在し、
前記懸下するフランジ部の一部は前記スロットより下に留まる、請求項９に記載のパッケージ。
【請求項１２】
前記第２手段は前記床パネルから直立する一対に略平行なポストを備え、
前記ポストは自身の上部及び下部において前記懸下するフランジ部の幅に少なくとも等しい距離だけ間隔を置いて配置され、かつ自身の上部及び下部の中間で前記懸下するフランジ部の厚さ未満の距離だけ間隔を置いて配置され、
これにより、前記スロットより下の懸下するフランジ部は前記スロット間の空間内に挿入され、かつ、前記懸下するフランジ部が前記ポスト間の中間にある狭い空間を過ぎて自身の下部間の空間内に押圧されるまで、下向きに押される、請求項１１に記載のパッケージ。
【請求項１３】
前記反対側エッジに沿って間隔を置いて配置された少なくとも２つの前記第１手段と、前記床パネルに沿って間隔を置いて配置された対応する数の前記第２手段と、を含む、請求項１０に記載のパッケージ。
【請求項１４】
前記反対側エッジに沿って間隔を置いて配置された少なくとも２つの前記第１手段と、前記床パネルに沿って間隔を置いて配置された対応する数の前記第２手段と、を含む、請求項１２に記載のパッケージ。
【発明の詳細な説明】
【技術分野】
【０００１】
本発明は、メディアディスクを保持するためのトレイを有する、ヒンジ留めされた積み重ねであるスタックされたアレイ(a hinged stacked array of trays)に関し、及び、より詳細には、こうしたトレイから成るヒンジ留めされたスタック・アレイを含む容器に関する。
【背景技術】
【０００２】
トレイは、例えば、コンパクトディスク（ＣＤｓ）、デジタルバーサタイルディスク（ＤＶＤｓ）及び類似の形状をしたディスク状情報記憶メディアのようなメディアディスク用記憶手段としてしばしば用いられる。本明細書中で使用する場合、「メディアディスク」という用語は、コンパクトディスク（ＣＤ）、デジタルバーサタイルディスク（ＤＶＤ）、あるいはアナログ又はデジタル情報を記憶するために使用される他のディスク状メディア物品を意味する。多数のメディアディスクを包装するような有用な形状構成は、トレイを有するスタック・アレイをしている。スタック・アレイでは、トレイのヒンジ留めエッジはスタック内で互いに対して整合される。そして、可撓性ヒンジ部材はトレイを互いに対してヒンジ留めするためのヒンジエッジに固定される。しばしば、スタック・トレイはパネルに固定される底部トレイの下側を具備するジャケットの内部パネル上に取り付けられる一方で、ジャケットはパッケージを閉じるためにスタックの周りに折り畳まれる。トレイが第２スタックを構成するために可撓性ヒンジ部材の回りで単一のスタック形状構成から回動するときに、第２スタックが第１スタックより背が高くなるにつれて、パネルに対する底部トレイの取付が無傷なままである限り、可撓性ヒンジ部材をしてトレイのヒンジ留めエッジから分離せしめるように該可撓性ヒンジ部材に創出される。同時に、応力は底部トレイの下側をパネルに取り付ける。接着剤のような手段に基づいて配置され、ジャケットをして底部トレイから抜き去らせしめる。結果として生じる損傷は、両方とも望ましくない、可撓性ヒンジ部材又はカバーに生じ、パッケージ全体の完全性は、複数のトレイから成るスタック内に格納されたメディアディスクに対する起こり得る損傷を与えた状態で破壊される。
【０００３】
ディスク保持トレイを有するヒンジ留めスタックを含むパッケージは特許文献１に開示され、その開示を本願明細書に参考文献として援用する。上述した損傷のタイプを受けにくいパッケージを構成することは有利であろうし、メディアディスクへの損傷及び盗難を防止し、及びパッケージ内にメディアディスクは容易に挿入し得るか／該パッケージからメディアディスクは容易に取り外し得る。
【０００４】
したがって、第２スタックを構成するために単一のスタックからトレイを回動させることによって損傷されないメディアディスクを保持するための、トレイを有するヒンジ留めされ、スタックされたアレイを格納するための経済的であり、単純であり及び有効なパッケージの必要性が存在する。
【特許文献１】国際公開第０３／０５０８１２号パンフレット
【発明の開示】
【発明が解決しようとする課題】
【０００５】
従って、経済的であり、単純であり及び使用し易く、及び可撓性ヒンジ留め部材の回りでトレイの回動をすることによって損傷を受けない、保護容器内に取り付けられたメディアディスクを保持するためのヒンジ留めトレイを有するスタックを含むパッケージを提供することが本発明の主要目的である。
【０００６】
メディアディスクが容易にパッケージ内に挿入し得るものであり、かつメディアディスクが該パッケージから容易に取り外し得るものである、メディアディスクを保持するためのヒンジ留めトレイを有するスタックのための保護カバーを含むパッケージを提供することも本発明の目的である。
【０００７】
スタック内のトレイの大部分が複数のトレイから成る第２スタックを構成するように可撓性ヒンジの回りで回動した後で、スタックの底部トレイがその背部側で上向きに回動することを可能とするように、メディアディスクを保持するためのヒンジ留めトレイのスタック内の底部トレイが保護容器内に回動可能に取り付けたこうしたパッケージを提供することは本発明の別の目的である。
【０００８】
保護カバー内に底部トレイを回動可能に取り付けるように底部トレイの背部側にある手段を係合させるように該保護カバーのベースパネル上に手段を含むこうしたパッケージを提供することも本発明の更に別の目的である。
【課題を解決するための手段】
【０００９】
前述の及び他の目的は、メディアディスクを保持するためのパッケージを提供する本発明によって達成される。すなわち、メディアディスクを保持するためのパッケージは、
少なくとも頂部トレイ及び底部トレイを含む、複数のディスク保持トレイから成るスタックであって、前記スタックの各トレイが自身上にメディアディスクを受容及び保持するための手段を具備し、該手段は前記スタックの各トレイはヒンジ留めエッジ及び反対側エッジを具備しており、前記トレイのヒンジエッジが互いに対して整合され、前記ヒンジエッジに固定され、前記ヒンジエッジで互いに対してヒンジ留めする、可撓性ヒンジ部材を含む、前記スタックと、
複数のディスク保持トレイから成るスタックであって、前記スタックの各トレイが自身上にメディアディスクを受容及び保持するための手段を具備し、前記スタックの各トレイはヒンジ留めエッジ及び反対側エッジを具備する、少なくとも頂部トレイ及び底部トレイ、及び前記ヒンジエッジに固定され、前記トレイのヒンジエッジが互いに対して整合され、前記トレイを前記ヒンジエッジで互いに対してヒンジ留めする、可撓性ヒンジ部材を含む、スタックと、
ベース、背部、及び、前記ヒンジエッジが前記背部及び該背部から離れた前記反対側エッジに隣接した状態で、前記ベース内で複数のディスク保持トレイから成る前記スタックを受容するカバーを備え、メディアディスクが前記ディスク保持トレイ上に挿入し得るものであり、及び複数の該ディスク保持トレイから取り外し得、前記トレイが前記可撓性ヒンジ部材の回りで回動し得る開放位置と、複数のディスク保持トレイから成る前記スタックを前記ベース内に保持するために前記背部の回りで回動されてトレイから成る第２スタックを構成する開放位置と、前記カバーが前記背部の回りで回動して前記ディスク保持トレイから成るスタックを前記ベース内に包囲する閉鎖位置と、を有する、エンクロージャーと、を備え、
複数の前記ディスク保持トレイから成るスタックの前記底部トレイは前記反対側エッジの回りで回動運動をするように前記ベース内に取り付けられ、
これにより、前記エンクロージャーがその開放位置にある状態で、トレイが前記スタックから第２スタック上に前記可撓性ヒンジ部材の回りで回動するにつれて、前記第２スタックが最初の前記スタックよりも少なくとも１つ多いトレイを含む場合に、前記底部トレイの前記ヒンジエッジは前記ベースから離れるように回動するパッケージである。
【００１０】
本発明の他の態様では、前記底トレイ上の第１手段及び前記ベース上の第２手段を含み、前記第１及び第２手段は前記底トレイを前記ベース内で回動運動するように取り付けるために相互に係合するパッケージが提供される。
【００１１】
本発明の更に別の態様では、前記第１手段は前記底部トレイの前記反対側エッジに形成され、かつ該反対側エッジに沿って延在するスロットであり、前記トレイの一部は前記スロットより下に留まり、及び前記第２手段は前記床パネルに取り付けられ、かつ該床パネルから上向きに延在する手段を備え、前記上向きに延在する手段は内部に上向きに開放する回動穴を具備し、前記穴は前記底部トレイの前記反対側エッジに実質的に平行な方向に延在し、かつ前記スロットより下に留まる前記トレイの一部を受容且つ回動可能に保持するように寸法づけられるパッケージが提供される。
【００１２】
本発明の更に別の態様では、前記スロットは前記底部トレイの前記平らな面と前記底部トレイの前記平らな面の反対側エッジから懸下するフランジ部との交差部に沿って形成され、かつ前記上向きに延在する手段は前記ペースパネルから直立する一対の略平行なポストを備え、前記ポストは自身の上部及び下部において前記懸下するフランジ部の幅に少なくとも等しい距離だけ間隔を置いて配置され、かつ自身の上部及び下部の中間で前記懸下するフランジ部の厚さ未満の距離だけ間隔を置いて配置され、これにより、前記スロットより下の懸下するフランジ部は前記スロット間の空間内に挿入され、かつ、前記懸下するフランジ部が前記ポスト間の中間にある狭い空間を過ぎて自身の下部間の空間内に押圧されるまで、下向きに押されるパッケージが提供される。
【発明を実施するための最良の形態】
【００１３】
図１は本発明によるメディア・パッケージの側面斜視図を示し、そして、図２は本発明によるメディア・パッケージ１０の正面斜視図を示す。メディア・パッケージ１０は、スタックで配置された複数のディスク保持トレイ１２、１４、１６、１８、２０及び２２を含む。図５に示すように、トレイは、複数のトレイから成るスタックであるスタック・トレイの一側に固定される可撓性ヒンジ部材２４によって互いにヒンジで留められる。本発明によれば、本発明のパッケージを構成するために、ヒンジで留めたスタック・トレイは、例えば、周知のクラムシェル・エンクロージャーのような保護容器５０内部に回動可能に取り付けられる。
【００１４】
ヒンジ部材２４は、例えば、スチレンを主成分とするフィルム又はテープ、ポリエチレン、ポリプロピレン等のような適切な材料で作られる。ヒンジ部材２４は、例えば、１片の市販のポリ・テープから組み立て得る。ヒンジ部材２４は、図６及び図７に示すように、初期の複数のトレイから成るスタックの隣に複数のトレイから成る第２スタックを構成するために、上部トレイ、及び各々の引き続くトレイを回動させることによって、複数のスタック・トレイを自由に開閉可能にするために十分撓み易くなければならない。なお、ヒンジ部材は、ヒンジ部材の早期故障又はヒンジ部材の分離を防止するために十分強くなければならない。
【００１５】
図３は、本発明による媒体パッケージに使用するために適切であるトレイ３０の斜視図を示す。トレイ３０は矩形の、比較的薄いプレート状部材である。この比較的薄いプレート状部材には、メディアディスクを近接受容するように成形され、かつ周囲を取り囲む平面３６からベース３８まで下向きに延在する円形側部壁３４によって画定される、円形中央凹所３２が形成されている。周囲フランジ３９は、平面３６から垂下してトレイ３０の周辺全体に当接する。メディアディスクを握持し、該メディアディスクを凹所３２内に保持するロゼット４０はそれ自体がベース３８上にモールド成形された隆起した座面４２上にモールド成形される。ロゼット４０は、自身上に配置されたメディアディスクの中央開口に係合するために当該業界では周知の何れかの慣用のロゼットとし得る。隆起した座面４２は、中心ディスク・アパーチャー真近に隣接するメディアディスクの環状領域をベース３８より上に支持し得る円形面を供する。メディアディスクのこの領域は、通常、記録情報を含まず、及び、従って、この領域のメディアディスクと隆起した座面との接触はメディアディスクに損傷を与えない。メディアディスクは、円形の側壁３４に形成された随意の周辺棚４４によって自身の外側エッジで周辺支持し得る。メディアディスクの外側エッジも、通常、記録情報を含まず、かつ、これらの外側エッジにおける支持メディアディスクは、該メディアディスクの記録領域とベースとの更なる接触が回避されるという更なる保証を供する。トレイ３０の平坦面３６は、使用者が凹所３２からメディアディスクを取り外すのを促進するために凹所３２のベース３８と連通する直径上で反対側に位置する指ウェル４６を含む。凹所３２、ロゼット４０及び指ウェル４６は、媒体ディスク包装業界では周知であり、従って、本願明細書で詳述する必要はない。
【００１６】
トレイ３０は、該トレイ３０を他のトレイにヒンジで留めるために使用される“ヒンジエッジ(hinge edge)”として本願明細書では呼称されるエッジ４８を含む。ヒンジエッジ４８は、複数のトレイが互いの上に載って積み重ねられるすなわちスタックされるときに、ヒンジエッジが、図５に示すようなヒンジ部材２４のような、ヒンジ部材を受容するために整合されるように位置づけられる。ヒンジエッジ４８と反対側には正面エッジ(non-spine edge)４９がある。トレイの正面エッジ４９、頂部エッジ４５及び底部エッジ４７の間に規定された角隅部には、トレイがスタックされるときに該トレイを回動させる支援をするために円弧状切抜き部６１が形成されている。
【００１７】
数及び内部の指ウェルの位置及びロゼット４０の構成を含む、トレイ３０のスタイル、形状及び寸法は可変とし得るものであり、かつ本願明細書の開示によって何れかの方法で限定されない。トレイ３０は、射出モールド成形されたプラスチック材料から適切に製造し得る。トレイのための適切な材料は、ポリスチレン及びポリプロピレンを含む。必要に応じて、トレイ３０は、例えば、結晶質のポリスチレンのような澄んだ材料で製造し得る。トレイのために透明な材料を使用することは審美的観点からしばしば所望される。更に、トレイのための透明材料の使用は、使用者がトレイの底部に貼付し得る販売促進及び情報材料を見ることを可能にし、かつトレイが空か及びトレイが一杯かを迅速に判断可能にする。
【００１８】
図１、図２、図４及び図８を参照すると、保護容器５０はベースパネル５２を具備するベース５１、背部パネル５４を具備する背部５３、及びカバーパネル５６を具備するカバーから成ることが分かる。保護容器５０内では、ベースパネル５２及びカバーパネル５６が、それぞれ、折り目線又は皺５８、６０によって背部パネルから分離されている。好ましくは、これらの折り目線又は皺はリビング・ヒンジとして製造の間に形成される。保護容器５０は、射出モールド成形されたプラスチック材料から適切に組み立て得る。トレイのための適切な材料は、ポリスチレン及びポリプロピレンを含む。所望に応じて、保護容器５０は、トレイ３０のように、例えば、結晶質のポリスチレンのような澄んだ材料から制作し得る。２つの反対側横方向側部６２，６４及び１つの連結横方向側部６６は３つの側部（脊部側部を含まず）上のベースパネル５２を包囲するためにベースパネル５２から直立している連結された壁部分６２ａ、６４ａ、６６ａを具備する。壁部分６２ａ、６４ａ、６６ａの高さは、ベースパネル５２に格納されている複数のトレイから成るスタックを包囲するのに少なくとも十分であり、かつベース内のトレイ・スタックが、複数のトレイのヒンジエッジ４８がリビング・ヒンジ５８と近接整合して配置されるような態様で配向される。複数のトレイ（非背部エッジ）の反対側エッジはベースパネル５２の横方向側壁部分６６ａ（非背部エッジ）に隣接している。
【００１９】
２つの反対側横方向側部７２、７４及びカバーパネル５６の１つの連結横方向側部７６は、（脊部側部を含まない）３つの側部上のカバーパネル５６を包囲するための直立した、連結壁部分７２ａ、７４ａ、７６ａを具備する。壁部分７２ａ、７４ａ、７６ａの高さは、カバーパネル５６及びその壁部分がベースパネル５２及びその壁部分のための蓋として単に働くからベースパネル５２の対応する壁部分の高さ未満であることが望ましい。本発明の好ましい実施形態では、壁部分７２ａ、７４ａ、７６ａの上端部はこれらの壁部分の回りで周辺外部肩部７８を規定するために切り離されている。壁部分７２ａ、７４ａ、７６ａの残りの上端部７２ｂ、７４ｂ、７６ｂは、ベース５１の壁部分６２ａ、６４ａでよりカバーパネル５６のマージンエッジ内部により大きな距離で位置づけられており、その結果、カバー５５がリビング・ヒンジ６０の回りで回動し、それから、背部５３及びカバー５５がベースパネル５２上の複数のトレイから成るスタックを包囲するようにリビング・ヒンジ５８の回りで回動されるとき、壁部分７２ａ、７４ａの上部端部分７２ｂ、７４ｂ、７６ｂはベース５１の壁部分６２ａ、６４ａ、６６ａの壁部分内に入れ子になる。背部パネル５３の２つの反対側横方向側部７７、７９は、ベース５１の壁部分６２ａ、６４ａ、６６ａ及びカバー５５の壁部分７２ａ、７４ａ、７６ａより背部パネル５４のマージンエッジ内部により大きな距離で位置づけられている直立している壁部分７７ａ及び７９ａを具備する。この構成では、カバー５５がリビング・ヒンジ６０の回りで回動し、それから、背部５３及びカバー５５がベースパネル５２の複数のトレイから成るスタックを包囲するようにリビング・ヒンジ５８の回りで回動するとき、背部壁部分７７ａ、７９ａはカバー５５の壁部分７２ａ、７４ａ、７６ａ及びベース５１の壁部分６２ａ、６４ａ、６６ａの内部に配置される。複数のトレイから成るスタックがベース５１に回動するように固定され、及び保護容器５０が開放形状構成にある状態では、トレイ・スタックが壁部分６２ａ、６４ａ、６６ａによって３つの側部上で包囲されているにも拘わらず、トレイをスタックから弧状の切抜き部６１を使用して第２スタックまで回動させることは簡単な事項である。
【００２０】
ベース５１の壁内で入れ子にされたカバー５５の壁によって、保護容器５０及びパッケージ１０閉じた形状構成をしている。この構成では、カバー５５の壁部分の上部端部分７２ｂ、７４ｂ、７６ｂの外側はベース５１の壁部分の内側に直に隣接する。このように、上部壁部分７６ｂを横切るカバーの外部上の横方向に延在するロッド状突出部８０は、対応して位置する上向きの開口、ベースを横切る壁部分６６ａの内側上の横方向に延在する穴８２に係合して、カバー及びベースが、閉じた位置に維持し得るメディアディスクパッケージ１０をするために一緒にスナップ嵌合することを可能にする。図１１及び図１２から分かるように、穴８２の各々と連通するのは上向きに開口する挿入スロット８３であり、ロッド状突出部８０の直径とその上部エッジで少なくとも幅広い幅を有し、かつカバー５５が閉じるように穴８２に向けてテーパーが付される、好ましくは円錐台形態をしている。ロッド状突出部８０はスロット８３の頂部エッジ内に挿入され、それから、下向きに押されてスロットの狭い部分を通過して穴に入る。閉じたパッケージ１０の開放を容易にするために、対応する壁凹所８４，８６はベース及びカバーの横方向壁部分６６ａ、７７ａの外部、すなわち、背部５３から離れた壁部分にそれぞれ形成される。これらの凹所は使用者が、これらのそれぞれの突出部／穴８０、８２が閉じた位置にある保護容器５０と係合するときにベース及びカバーを引き離す支援をするために把持エッジ８４ａ、８６ａを有することを可能にする。
【００２１】
複数のトレイから成るスタックは、底部トレイ２２をベースパネル５２に回動するように取り付けることによって保護容器５０のベース５１内に回動可能に固定される。具体的には、底部トレイ２２の非背部側部上の手段１００はベースパネル５２の手段１１０に回動するように係合する。これは非背部壁部分６６ａに沿ってベースパネル５２上の１つ以上の位置に第１回動手段を設けることによって、底部トレイ２２から非背部側部４９に沿った、対応する単数又は複数の位置に、第１回動手段を底部トレイ２２がベースパネル５２に回動可能に取り付けるように係合させるために第２回動手段を設けることによって、達成される。このように、各後続するトレイが、順番に、複数のトレイから成る初期スタックに隣接する第２スタックを構成するために可撓性ヒンジの回りで初期スタックから回動するにつれて、第２スタックの高さが増大する。図６では、各トレイの高さは第１スタック内で左であったように、等しい数のトレイが第１スタックから第２スタックに回動するのとほぼ同じである。この点では、底部トレイ２２は未だに回動し始めていない。しかしながら、次のトレイが回動するにつれて、回動する各後続するトレイが初期のスタックから第２スタックまで回動する各々引き続くトレイと共に、第２スタックの高さが増大する一方で、第１スタックの高さは減少する。第２スタックが第１スタックよりも１つ多いトレイをちょうど含むや否や、底部トレイ２２はその背部が上昇する一方でその非背部がベースパネル５２に回動可能に取り付けられたままである。図７では、トレイの全てではないが１つが初期のスタックから第２スタックまで回動する。底部トレイ２２の背部側部がヒンジエッジを保持する可撓性織物上の応力を整合させることを回避するためにどれだけ上昇させるかの例示から確かに明らかである。さらにまた、この形状構成が接着剤でベースパネル５２に対する底部トレイ２２の下側全体を固定する必要性を回避する限りは、底部トレイ上の応力がベースパネルの面と面のインターフェースをして分離せしめるという問題は回避される。
【００２２】
図９〜図１２に関して、本発明の好ましい実施形態では、底部トレイ２２の非背部側部４９上の手段１００は横方向に延在する比較的短い（約１／４〜１インチの長さ）スロット１０２を含む。このスロットは底部トレイ２２の非背部側部４９に沿って間隔を置いて配置された位置に形成し得る。望ましく、スロット１０２は、底部トレイ２２の非背部側部４９に沿った平らな面３６及び懸下するフランジ３９の交差点に形成される。このように、懸下フランジ３９の一部３９ａはスロット１０２の下に残る。本発明の一態様による手段１１０は、スロット１０２の位置に対応する位置で非背部壁部分６６ａに隣接する内側に且つ該非背部壁部分６６ａに沿って位置づけられる、ベースパネル５２から上向きに延在する、第１及び第２ポスト１１２、１１４を備える。第１ポスト１１２は、ベースパネル５２から上昇し、かつ全体的にＰ字形状をしている。Ｐ字のヘッドは非背部側壁部分６６ａに向かって面する。第２ポスト１１４もベースパネル５２から上昇し、かつ第１ポスト１１２及び壁部分６６ａ間の第１ポスト１１２に隣接して位置づけられる。Ｐ字のヘッド及び第２ポストの上端部は、トレイ２２の懸下するフランジ部３８の厚さと少なくとも幅広い自身の上部エッジを具備する挿入スロット１１６を画定するこれらの間に上向きに開放する円錐台開口を規定するために互いに対してテーパーが付されている。円錐台は第１及び第２のポスト１１２、１１４間の空間１１８に向けて下向きにテーパーが付されており、ベースパネル５２による底部上、好ましくはポスト１１２の脚部に対して直角なＰ字の下側によって頂部上で境界づけられている。複数のトレイのスタックがベース５１内に挿入されるとき、フランジ壁部分３９ａが挿入スロット１１６の狭い部分を過ぎて移動してスロット１０２内に突出するＰ字のポスト１１２のヘッドによって空間１１８内に入るのに十分な力で、スロット１０２の真下の懸下フランジ部分３９ａが手段１１０の挿入スロット１１６内に挿入されるような態様で配向される。このように、底部トレイ２２がベース５１上にスナップ嵌合し、かつ該ベース５１内に回動自在に取り付けられ、かつトレイの動きを非背部壁部分６６ａに向けて制限するように働く。トレイ２２が容易に回動することができることを確実にするために、スロット１０２、ポスト１１２，１１４、及びポスト１１２，１１４間の距離は適切に選択されるべきである。
【００２３】
ベース５１内でトレイ・スタックを回動自在に取り付けるために記載された実施形態はそうする好ましい実施形態のみを表す。トレイ・スタックをベース５１内で回動可能に取り付けるための他の形状構成も利用し得るものであり、かつ本発明の範囲内にある。例えば、スナップ嵌合のための他の手段を使用し得る。スナップ嵌合以外の取付手段も利用し得る。さらに、底部トレイはベースパネル５２以外の非背部壁部分６６ａに取り付け得る。
【００２４】
パッケージ１０上及び該パッケージ内には、販売促進及び情報材料の配置の十分な機会がある。例えば、販売促進又は情報シートは１つ以上のトレイの下側に取り付け得る。別の販売促進又は情報シートは、例えば、その全長に沿って又は所定の間隔を置いて配置される接着剤によって非値されるカバーパネル５６、背部パネル５６，及びベースパネル５２の外側に沿って取り付け得るものであり、かつこれらに固着し得るものである。さらに、５つう形状とされたラッチ８８は、ラッチが開放し、かつ背部５３に向かって延在するラッチによって、カバープレート５６の内側の横方向エッジ７６に沿って所定の間隔を置いて位置づけられ、かつ該横方向エッジ７６に沿って取り付けられる。 販売促進又は情報ブローチャー又はシートはカバープレート５６の内側でラッチ８８の下側に着脱自在に挿入し得る。
【００２５】
本発明をその特定の実施形態に関して記載してきたが、構成の詳細又は添付の特許請求の範囲に規定された以外の構成に限定する意図がないことが理解される。
【図面の簡単な説明】
【００２６】
【図１】ディスク保持トレイが開放位置内に外向きに扇形に広がった状態にある、開放形状構成の、本発明のメディアディスクを保持するためのパッケージの側部斜視図である。
【図２】ディスク保持トレイが開放位置内に外向きに扇形に広がった状態、及びパッケージが側部エッジに着座している状態の、本発明のメディアディスクを保持するためのパッケージの前部斜視図である。
【図３】本発明に従って使用するのに適した単一のディスク保持トレイの斜視図である。
【図４】閉じた形状構成の図１に示すパッケージの斜視図である。
【図５】本発明に従う、複数のディスク保持トレイから成る積み重ねの斜視図である。
【図６】トレイの幾つかが元々の積み重ねから回動されて、略等しい高さの２つの積み重ねを構成する、本発明のメディアディスクを保持するためのパッケージの正面図である。
【図７】トレイの１つ以外の全てが元々の積み重ねから回動されて、元々の積み重ね上に底部トレイのみを残す、本発明のメディアディスクを保持するためのパッケージの正面図である。
【図８】内部に複数のメディアディスクから成る積み重ねがない本発明の保護エンクロージャーの平面図である。
【図９】下部の幾つかのトレイのみ及び下部トレイがベース内で回動するように取り付けられる態様を示す図８の９−９線を貫通延在する平面に沿って切断して取り除いた本発明のパッケージの部分的側面図である。
【図１０】下部の幾つかのトレイのみ及び下部トレイがベース内で回動するように取り付けられる態様を示す図８の１０−１０線を貫通延在する平面に沿って切断して取り除いた本発明のパッケージの拡大斜視図である。
【図１１】保護エンコロージャー内のトレイの積み重ね及びカバーがベースにスナップ嵌合される態様を示す図８の１１−１１線を貫通延在する平面に沿って切断して取り除いた本発明のパッケージの斜視図である。
【図１２】保護エンクロージャー内のトレイの積み重ね及びカバーがベースにスナップ嵌合される態様を示す図８の１２−１２線を貫通延在する平面に沿って切断して取り除いた本発明のパッケージの別の斜視図である。
【符号の説明】
【００２７】
１０  メディア・パッケージ
１２、１４、１６、１８、２０、２２  ディスク保持トレイ
２４  可撓性ヒンジ部材
３０  トレイ
３２  凹所
３４  円形側壁
３６  平面
３８  ベース
３９  懸下フランジ
３９ａ  懸下フランジの一部
４０  ロゼット
４２  隆起した座面
４４  周辺棚
４５  頂部エッジ
４６  指ウェル
４７  底部エッジ
４８  ヒンジエッジ
４９  正面エッジ
５０  保護容器
５１  ベース
５２  ベースパネル
５３  背部
５４  背部パネル
５５  カバー
５６  カバーパネル
５８、６０  折り目線又は皺
６１  円弧状切抜き部
６２、６４  反対側横方向側部
６２ａ、６４ａ、６６ａ  壁部分
６６  連結横方向側部
７２、７４  反対側横方向側部
７２ａ、７４ａ、７６ａ  壁部分
７２ｂ、７４ｂ、７６ｂ  上端部
７６  連結横方向側部
７７、７９  反対側横方向側部
７７ａ、７９ａ  壁部分
７８  周辺外部肩部
８０、８２  穴
８３  スロット
８４、８６  壁凹所
８４ａ、８６ａ  把持エッジ
８８  ラッチ
１００、１１０  手段
１０２  スロット
１１２  第１ポスト
１１４  第２ポスト
１１６  挿入スロット
１１８  空間
【図１】
2008509866.tif 000003
【図２】
2008509866.tif 000004
【図３】
2008509866.tif 000005
【図４】
2008509866.tif 000006
【図５】
2008509866.tif 000007
【図６】
2008509866.tif 000008
【図７】
2008509866.tif 000009
【図８】
2008509866.tif 000010
【図９】
2008509866.tif 000011
【図１０】
2008509866.tif 000012
【図１１】
2008509866.tif 000013
【図１２】
2008509866.tif 000014
【国際調査報告】
2008509866.tif 000015
2008509866.tif 000016
2008509866.tif 000017